(57)【特許請求の範囲】
【請求項１】
有効画素領域内の一部の領域の画像を用いて合焦を行う合焦手段と、
合焦後における前記領域内の合焦画像の空間周波数を算出する空間周波数手段と、
算出された前記空間周波数に基づいて前記合焦画像の拡大率を求める拡大率決定手段と、
前記拡大率に対応して前記合焦画像の解像度を変換し拡大した合焦画像をモニタに表示する合焦画像拡大表示手段とを備え、
解像度が変換され拡大された前記合焦画像の前記モニタへの表示を、前記合焦画像の表示がキャンセルされた場合、あるいは前記合焦画像の表示開始から所定時間が経過した場合に終了し、前記モニタの表示をライブビュー画像の表示に変更し、
前記拡大率は、前記空間周波数が低いときには前記空間周波数の増大にともない直線的に増大され、所定の空間周波数を超えると一定の最大拡大率に維持される
ことを特徴とする合焦画像表示装置。
【請求項２】
前記合焦画像の拡大が、前記領域内のフォーカスポイントを中心に拡大されることを特徴とする請求項１に記載の合焦画像表示装置。
【請求項３】
請求項１または請求項２の何れか一項に記載の合焦画像表示装置を備えたことを特徴とするデジタルカメラ。
【請求項４】
有効画素領域内の一部の領域の画像を用いて合焦を行い、
合焦後における前記領域内の合焦画像の空間周波数を算出し、
算出された前記空間周波数に基づいて前記合焦画像の拡大率を求め、
前記拡大率に対応して前記合焦画像の解像度を変換し拡大した合焦画像をモニタに表示し、
解像度が変換され拡大された前記合焦画像の前記モニタへの表示を、前記合焦画像の表示がキャンセルされた場合、あるいは前記合焦画像の表示開始から所定時間が経過した場合に終了し、前記モニタの表示をライブビュー画像の表示に変更し、
前記拡大率は、前記空間周波数が低いときには前記空間周波数の増大にともない直線的に増大され、所定の空間周波数を超えると一定の最大拡大率が維持される
ことを特徴とする合焦画像表示方法。
【請求項５】
前記合焦手段がコントラスト検出方式のオートフォーカスを用い、前記空間周波数が前記オートフォーカスの処理において最後に撮影された画像に対して算出されることを特徴とする請求項１〜３の何れか一項に記載の合焦画像表示装置。
【発明の詳細な説明】
【技術分野】
【０００１】
本発明は、デジタルカメラにおいて合焦画像をモニタに表示し確認する装置および方法に関する。
【背景技術】
【０００２】
デジタルカメラのオートフォーカス（ＡＦ）では、コントラスト検出方式が一般的に用いられ、合焦された画像は撮影者が確認するために、カメラのディスプレイに一時的に表示される。しかし、通常カメラに設けられるディスプレイの大きさは、合焦画像全体を表示して合焦状態を確認するには十分な大きさではない。このような問題に対しては、合焦画像内で合焦の程度が最も高い領域をディスプレイに拡大表示し、更にその中で最も合焦しているサブブロックを枠で囲い明示する構成が提案されている（特許文献１参照）。
【先行技術文献】
【特許文献】
【０００３】
【特許文献１】特開２００４−２４２０１０号公報
【発明の概要】
【発明が解決しようとする課題】
【０００４】
しかし、撮影される画像にはポートレートや風景画など様々な態様があり、被写体によって好ましい拡大率は異なる。
【０００５】
本発明は、被写体に応じた適切な拡大率で合焦画像を表示することを課題としている。
【課題を解決するための手段】
【０００６】
本発明の合焦画像表示装置は、有効画素領域内の一部の領域の画像を用いて合焦を行う合焦手段と、合焦後におけるこの領域内の合焦画像の空間周波数を算出する空間周波数手段と、算出された空間周波数に基づいて合焦画像の拡大率を求める拡大率決定手段と、拡大率に対応して合焦画像の解像度を変換しモニタに表示する合焦画像拡大表示手段とを備えたことを特徴としている。
【０００７】
合焦画像の拡大は、上記領域内のフォーカスポイントを中心に拡大されることが好ましい。
【０００８】
本発明のデジタルカメラは、上記の合焦画像表示装置を備えたことを特徴としている。
【０００９】
本発明の合焦画像表示方法は、有効画素領域内の一部の領域の画像を用いて合焦を行い、合焦後におけるこの領域内の合焦画像の空間周波数を算出し、算出された空間周波数に基づいて合焦画像の拡大率を求め、拡大率に対応して合焦画像の解像度を変換しモニタに表示することを特徴としている。
【発明の効果】
【００１０】
本発明によれば、被写体に応じた適切な拡大率で合焦画像を表示することができる。
【図面の簡単な説明】
【００１１】
【図１】本実施形態のデジタルカメラの構成を示すブロック図である。
【図２】空間周波数が異なる２枚の画像とその合焦に利用される領域を示す。
【図３】空間周波数と合焦確認のために表示される合焦画像の拡大率の関係を示すグラフである。
【図４】本実施形態のＣＡＦ処理および合焦画像確認表示処理の手順を示すフローチャートである。
【発明を実施するための形態】
【００１２】
以下、本発明の実施の形態を、図面を参照して説明する。図１は、本発明の一実施形態であるデジタルカメラの概略的な構成を示すブロック図である。
【００１３】
デジタルカメラ１０は、例えばデジタル一眼レフカメラである。レンズ群１１から入射した光は、絞り１２、カラーフィルタアレイ１３を通して撮像素子（例えばＣＭＯＳイメージセンサ）１４の撮像面で結像する。撮像素子１４は撮像素子ドライバ１５からの駆動信号に基づいて制御される。撮像素子１４で検出された画像信号は、画像信号処理回路１６へと送られ、従来周知の様々な画像信号処理が施された後、必要に応じてモニタ１７に表示される。
【００１４】
レンズ群１１におけるレンズの位置は、ＡＦ制御部１９により制御され、これによりオートフォーカス処理が実行される。また、絞り１２の開閉は、絞り制御部２０により制御される。なお、撮像素子ドライバ１５、ＡＦ制御部１９、絞り制御部２０は制御部２１からの指令に基づいて制御され、制御部２１は操作部２２からの信号に基づいて、後述するオートフォーカス処理を含む各種所定の処理を実行する。なお、操作部２２には、例えばレリーズスイッチ、ＡＦボタン、各種ダイヤルスイッチ、タッチパネル等が含まれる。
【００１５】
次に図２、図３を参照して、本実施形態における合焦画像の確認表示方法の概要を説明する。なお、本実施形態では、コントラスト検出方式のオートフォーカス（ＣＡＦ）が用いられる。
【００１６】
図２（ａ）、（ｂ）は、空間周波数が異なる２種類の被写体を撮影したときの画像例であり、被写体とともに、実効画素領域（有効画素領域）Ａ１においてＣＡＦ処理に利用されるＣＡＦ領域（コントラストが比較される領域）Ａ２、Ａ３が示される。図２（ａ）は、画面中央に１人の人物の顔が大きく配置される画像であり、図２（ｂ）は、複数の人物が遠景を背に配置される画像である。一般に、図２（ｂ）のような画像は、図２（ａ）のような画像に比べ空間周波数が高く、画像が込み入っているため合焦の度合いを確認することが難しい。
【００１７】
したがって、本実施形態では、ＣＡＦ処理後、ＣＡＦ領域の合焦画像を、フォーカスポイントを中心に拡大してモニタ１７（図１参照）に表示するとともに、その際、拡大率をＣＡＦ領域内の空間周波数に応じて制御する。図３のグラフに、本実施形態における空間周波数と拡大率の関係を示す。すなわち、本実施形態では、空間周波数が高いほど高い拡大率で合焦画像を拡大してモニタ１７に表示する。なお、図３に示される例では、空間周波数が低いときには、拡大率が空間周波数の増大にともない直線的に増大され、所定の空間周波数を超えると、一定の拡大率（最大拡大率）が維持される。しかし、空間周波数と拡大率の関係は、これに限定されるものではない。
【００１８】
次に図４のフローチャートを参照して、本実施形態の合焦画像確認表示処理について説明する。なお、合焦画像確認表示処理は主に制御部２１（図１参照）を中心に実行される。
【００１９】
図４に示される処理は、モニタにライブビューが表示されているときに実行される。ステップＳ１００においてＡＦ開始要求が検出されると、ステップＳ１０２において、ＣＡＦ処理が開始される。すなわち、ＡＦ制御部１９（図１参照）と協働して順次撮像される画像のＣＡＦ領域内のコントラストを比較してＣＡＦ処理が実行される。
【００２０】
ステップＳ１０２のＣＡＦ処理が終了すると、ステップＳ１０４において合焦確認補助の要求があるか否かが判定される。合焦確認補助要求は、合焦画像を表示する際に上述した拡大率の制御を行うか否かを指定するもので、例えばユーザが予め合焦確認補助モードを設定しているか否かによってその有無が判定される。
【００２１】
合焦確認補助要求がないと判定された場合には、この処理は直ちに終了し、通常のライブビュー処理に復帰するが、合焦確認補助要求があると判定された場合には、ステップＳ１０６において、ステップＳ１０２のＣＡＦ処理におけるＣＡＦ領域の最後の画像がメモリ（図示せず）に保持される。その後、ステップＳ１０８において、メモリに保持された画像の空間周波数が算出され、例えば図３のグラフに対応するルックアップテーブルを参照してライブビュー画像に対する拡大率が求められる。
【００２２】
ステップＳ１１０では、ステップＳ１０８で求められた拡大率に対応して、メモリに保持されたＣＡＦ領域の画像の解像度が変換され、モニタ１７（図１参照）に拡大表示され、ステップＳ１１２において、合焦画像のモニタ１７への表示がキャンセルされたか、あるいは所定時間が経過したかが判定される。キャンセルは、例えば操作部２２（図１参照）に設けられた所定のボタン（図示せず）を操作することにより行われ、所定時間は、例えば２秒程度の時間に設定されている。
【００２３】
ステップＳ１１２の判断は、合焦画像表示のキャンセル、または所定時間が経過していると判定されるまで繰り返され、何れかの条件が成立すると、本処理は終了し、処理は通常のライブビュー画像の表示に復帰する。
【００２４】
以上のように本実施形態によれば、撮影される被写体の空間周波数に応じて、適切な拡大率で合焦画像を表示することができる。
【００２５】
なお、ＣＡＦ処理において、有効画素領域の中のＣＡＦ領域のみから画素信号を読み出しＣＡＦ処理を行うこともできる。
【００２６】
なお、本実施形態では、一眼レフを例に説明を行ったが、本発明が適用されるデジタルカメラは、一眼レフに限定されるものではなく、例えば携帯電話などを含むデジタルカメラ機能を備える様々な装置に適用可能である。
【符号の説明】
【００２７】
１０  デジタルカメラ
１１  レンズ群
１２  絞り
１３  カラーフィルタアレイ
１４  撮像素子
１５  撮像素子ドライバ
１６  画像信号処理回路
１７  モニタ
１９  ＡＦ制御部
２０  絞り制御部
２１  制御部
２２  操作部
【図１】
0005807324.tif 000002
【図２】
0005807324.tif 000003
【図３】
0005807324.tif 000004
【図４】
0005807324.tif 000005